(57)【要約】【課題】複数のセグメントを有する保持器を用いても、内輪の小鍔部が鉛直方向の下方側を向いた状態で円錐ころ軸受を組立可能な組立用治具、組立方法および内輪アッセンブリを提供すること。【解決手段】組立用治具４が、円錐ころ２を載置するダミー外輪６と、内輪１をその小鍔部が鉛直方向の下方側に向いた状態で維持する内輪載置部材７と、内輪１の大径側の端部を保持する内輪保持部材８と、セグメント押圧部材９とを備えるようにする。セグメント押圧部材９が、複数の櫛状の部材９１を有するようにし、各櫛状の部材９１の切り込みに円錐ころ２が収容できるようにする。ボルトを用いて各櫛状の部材９１を内輪保持部材８に締め込んで、各櫛状の部材９１のセグメント係合部９５で円錐ころ２を保持しているセグメント３１の柱部を内輪１の方に押圧して、円錐ころ２を内輪１の外周円錐軌道面１１上に位置させる。【選択図】図２
2015135143.tif 000002
【特許請求の範囲】
【請求項１】
複数のセグメントを有する保持器を備える円錐ころ軸受の組み立てに使用する組立用治具であって、
円錐内周面と、円錐内周面の軸方向の小径側に位置する鍔部と、略上記円錐内周面の径方向に延在すると共に、上記軸方向の小径側の端部に位置する載置面とを有する環状のダミー外輪と、
上記円錐ころ軸受の内輪の小径側の端部の外周面に対応する形状を有する小径側対応内周面と、その小径側対応内周面の軸方向の一方側の端部につながる小端面受止面と、上記小端面受止面よりも上記軸方向の一方側に位置すると共に、略上記小径側対応内周面の径方向に延在する載置面とを有する内輪載置部材と、
上記内輪の大径側の端部の外周面の少なくとも一部に対応する形状を有する大径側対応面と、上記内輪の大径側の端部を固定する固定部と、上記内輪の大径側の端部を上記固定部に固定した状態で略上記内輪の径方向に延在する複数のねじ穴とを有する内輪保持部材と、
複数の櫛状の部材を有して、上記各櫛状の部材が、円弧形状を有する円弧状部と、上記円弧状部の軸方向の一方側の端部からその軸方向の一方側に延在すると共に、上記円弧状部の周方向に互いに間隔をおいて位置する複数のセグメント係合部とを有し、上記各円弧状部が、その円弧状部を径方向に貫通するねじ穴を有するセグメント押圧部材と
を備えることを特徴とする円錐ころ軸受の組立用治具。
【請求項２】
円錐ころ軸受の内輪と、複数の円錐ころと、複数のセグメントを有して、各セグメントが一以上の上記円錐ころを収容する一以上のポケットを有する保持器と、請求項１に記載の円錐ころ軸受の組立用治具とを用意する部材用意工程と、
上記ダミー外輪の上記載置面を、水平面上に載置するダミー外輪載置工程と、
上記内輪載置部材の上記載置面を、上記水平面上に載置する内輪載置部材載置工程と、
上記各セグメントの上記各ポケットに上記円錐ころを収容する円錐ころ収容工程と、
上記ダミー外輪載置工程の後、全ての上記ポケットに上記円錐ころが収容された上記セグメントを、そのポケット内の上記円錐ころの転動面が上記ダミー外輪の円錐内周面上に位置すると共に、その円錐ころの小端面が上記ダミー外輪の鍔部に係止されるように、上記ダミー外輪に載置するセグメント載置工程と、
上記内輪の小径側の端部の外周面を上記内輪載置部材の上記小径側対応内周面に当接させると共に、上記内輪の小端面を上記内輪載置部材の上記小端面受止面に載置するように、上記内輪を上記内輪載置部材に載置する内輪載置工程と、
上記内輪の大径側の端部の外周面の少なくとも一部を、その少なくとも一部に対応する形状を有する上記内輪保持部材の上記大径側対応面に当接させた状態で、上記内輪の大径側の端部を上記内輪保持部材の上記固定部に固定する内輪保持工程と、
上記内輪載置工程の後に、上記櫛状の部材の各セグメント係合部が全ての上記ポケットに上記円錐ころが収容されている上記セグメントの柱部に上記内輪の径方向に重なっている状態で、締結部材を上記円弧状部の上記ねじ穴と上記内輪保持部材の上記ねじ穴とに螺合させて上記櫛状の部材を上記内輪保持部材に締め込むことにより、上記セグメント係合部で上記セグメントを上記内輪の外周円錐軌道面側に移動させて、上記セグメントが保持している上記各円錐ころを上記外周円錐軌道面上に位置させるころ軌道面配置工程と
を備えることを特徴とする円錐ころ軸受の組立方法。
【請求項３】
外周円錐軌道面を有する内輪と、
複数のセグメントを有して、上記各セグメントが、一以上のポケットを有する保持器と、
上記各セグメントの上記ポケットに収容されると共に、上記外周円錐軌道面上に位置する円錐ころと、
上記内輪の大径側の端部の外周面の少なくとも一部が当接している大径側対応面と、上記内輪の大径側の端部が固定された固定部と、略上記内輪の径方向に延在する複数のねじ穴とを有する内輪保持部材と、
複数の櫛状の部材を有して、上記各櫛状の部材が、円弧形状を有する円弧状部と、上記円弧状部の軸方向の一方側の端部からその軸方向の一方側に延在すると共に、上記円弧状部の周方向に互いに間隔をおいて位置する複数のセグメント係合部とを有し、上記各円弧状部が、その円弧状部を径方向に貫通するねじ穴を有し、上記各セグメント係合部の少なくとも一部が上記セグメントの柱部の上記径方向の外方側の端面に接触しているセグメント押圧部材と、
上記内輪保持部材の上記ねじ穴と、上記セグメント押圧部材の上記ねじ穴とに螺合して、上記セグメント押圧部材を上記内輪保持部材に締結している締結部材と
を備えることを特徴とする内輪アッセンブリ。
【発明の詳細な説明】
【技術分野】
【０００１】
本発明は、円錐ころ軸受の組立用治具に関し、また、円錐ころ軸受の組立方法に関する。また、本発明は、内輪と、複数のセグメントを有する保持器と、複数の円錐ころとを備える内輪アッセンブリに関する。
【背景技術】
【０００２】
従来、円錐ころ軸受としては、特開２００７−２１１８３３号公報（特許文献１）に記載されているものがある。この円錐ころ軸受は、風力発電機に設置されている。この円錐ころ軸受は、外輪と、内輪と、複数の円錐ころと、保持器とを備え、保持器は、複数の円弧状のセグメントで構成され、各セグメントは、複数の円錐ころを保持するようになっている。
【０００３】
風力発電機等で使用される大型の円錐ころ軸受では、環状一体型の保持器の制作が困難であることが知られている。上記円錐ころ軸受は、保持器を、複数の円弧状のセグメントで構成することによって、保持器での円錐ころの保持を可能とし、円錐ころ同士の接触を防止し、円錐ころの転動を円滑にしている。
【０００４】
上記風力発電機は、円錐ころ軸受を、主軸のリア側とフロント側との二箇所に配置している。二つの円錐ころ軸受は、互いの内輪の軸方向の小端面同士が主軸の軸方向に対向している。上記主軸用の二つの円錐ころ軸受は、内輪の中心軸が鉛直方向に一致している状態で組み立てられる。
【０００５】
上記主軸用の円錐ころ軸受は、大型の軸受であるため、内輪が大きな重量を有し、円錐ころ軸受の組み立て中に内輪を客先等で上下に反転させることが現実的でない。したがって、リア側の円錐ころ軸受は、通常、内輪の軸方向の外周円錐軌道面の小径側の端部が鉛直方向下方を向いた状態で組み立てられ、リア側の円錐ころ軸受は、内輪の外周円錐軌道面が鉛直方向上方に行くにしたがって径が大きくなっている状態で組み立てられる。
【０００６】
したがって、リア側の円錐ころ軸受は、組み立ての最中において、内輪の小鍔部で、その小鍔部よりも大きく径方向の外方側に傾いた不安定な状態の円錐ころを支えなければならないから、複数のセグメントを有する環状でない保持器を用いた場合、組み立ての最中において、円錐ころが重力によって倒れて、脱落し易いという問題がある。
【先行技術文献】
【特許文献】
【０００７】
【特許文献１】特開２００７−２１１８３３号公報
【発明の概要】
【発明が解決しようとする課題】
【０００８】
そこで、本発明の課題は、複数のセグメントを有する環状でない保持器を用いた場合でも、内輪の軸方向の小鍔部側の端面を鉛直方向の下方側に向けた状態で、円錐ころ軸受を円滑に組み立て可能な円錐ころ軸受の組立用治具および組立方法を提供することにある。
【０００９】
また、本発明の課題は、複数のセグメントを有する環状でない保持器を有しているのに、内輪の軸方向の小鍔部側の端面が鉛直方向の下方側を向いた状態でも円錐ころが内輪から離脱しない内輪アッセンブリを提供することにある。
【課題を解決するための手段】
【００１０】
上記課題を解決するため、この発明の円錐ころ軸受の組立用治具は、
複数のセグメントを有する保持器を備える円錐ころ軸受の組み立てに使用する組立用治具であって、
円錐内周面と、円錐内周面の軸方向の小径側に位置する鍔部と、略上記円錐内周面の径方向に延在すると共に、上記軸方向の小径側の端部に位置する載置面とを有する環状のダミー外輪と、
上記円錐ころ軸受の内輪の小径側の端部の外周面に対応する形状を有する小径側対応内周面と、その小径側対応内周面の軸方向の一方側の端部につながる小端面受止面と、上記小端面受止面よりも上記軸方向の一方側に位置すると共に、略上記小径側対応内周面の径方向に延在する載置面とを有する内輪載置部材と、
上記内輪の大径側の端部の外周面の少なくとも一部に対応する形状を有する大径側対応面と、上記内輪の大径側の端部を固定する固定部と、上記内輪の大径側の端部を上記固定部に固定した状態で略上記内輪の径方向に延在する複数のねじ穴とを有する内輪保持部材と、
複数の櫛状の部材を有して、上記各櫛状の部材が、円弧形状を有する円弧状部と、上記円弧状部の軸方向の一方側の端部からその軸方向の一方側に延在すると共に、上記円弧状部の周方向に互いに間隔をおいて位置する複数のセグメント係合部とを有し、上記各円弧状部が、その円弧状部を径方向に貫通するねじ穴を有するセグメント押圧部材と
を備えることを特徴としている。
【００１１】
また、本発明の円錐ころ軸受の組立方法は、
円錐ころ軸受の内輪と、複数の円錐ころと、複数のセグメントを有して、各セグメントが一以上の上記円錐ころを収容する一以上のポケットを有する保持器と、請求項１に記載の円錐ころ軸受の組立用治具とを用意する部材用意工程と、
上記ダミー外輪の上記載置面を、水平面上に載置するダミー外輪載置工程と、
上記内輪載置部材の上記載置面を、上記水平面上に載置する内輪載置部材載置工程と、
上記各セグメントの上記各ポケットに上記円錐ころを収容する円錐ころ収容工程と、
上記ダミー外輪載置工程の後、全ての上記ポケットに上記円錐ころが収容された上記セグメントを、そのポケット内の上記円錐ころの転動面が上記ダミー外輪の円錐内周面上に位置すると共に、その円錐ころの小端面が上記ダミー外輪の鍔部に係止されるように、上記ダミー外輪に載置するセグメント載置工程と、
上記内輪の小径側の端部の外周面を上記内輪載置部材の上記小径側対応内周面に当接させると共に、上記内輪の小端面を上記内輪載置部材の上記小端面受止面に載置するように、上記内輪を上記内輪載置部材に載置する内輪載置工程と、
上記内輪の大径側の端部の外周面の少なくとも一部を、その少なくとも一部に対応する形状を有する上記内輪保持部材の上記大径側対応面に当接させた状態で、上記内輪の大径側の端部を上記内輪保持部材の上記固定部に固定する内輪保持工程と、
上記内輪載置工程の後に、上記櫛状の部材の各セグメント係合部が全ての上記ポケットに上記円錐ころが収容されている上記セグメントの柱部に上記内輪の径方向に重なっている状態で、締結部材を上記円弧状部の上記ねじ穴と上記内輪保持部材の上記ねじ穴とに螺合させて上記櫛状の部材を上記内輪保持部材に締め込むことにより、上記セグメント係合部で上記セグメントを上記内輪の外周円錐軌道面側に移動させて、上記セグメントが保持している上記各円錐ころを上記外周円錐軌道面上に位置させるころ軌道面配置工程と
を備えることを特徴としている。
【００１２】
また、本発明の内輪アッセンブリは、
外周円錐軌道面を有する内輪と、
複数のセグメントを有して、上記各セグメントが、一以上のポケットを有する保持器と、
上記各セグメントの上記ポケットに収容されると共に、上記外周円錐軌道面上に位置する円錐ころと、
上記内輪の大径側の端部の外周面の少なくとも一部が当接している大径側対応面と、上記内輪の大径側の端部が固定された固定部と、略上記内輪の径方向に延在する複数のねじ穴とを有する内輪保持部材と、
複数の櫛状の部材を有して、上記各櫛状の部材が、円弧形状を有する円弧状部と、上記円弧状部の軸方向の一方側の端部からその軸方向の一方側に延在すると共に、上記円弧状部の周方向に互いに間隔をおいて位置する複数のセグメント係合部とを有し、上記各円弧状部が、その円弧状部を径方向に貫通するねじ穴を有し、上記各セグメント係合部の少なくとも一部が上記セグメントの柱部の上記径方向の外方側の端面に接触しているセグメント押圧部材と、
上記内輪保持部材の上記ねじ穴と、上記セグメント押圧部材の上記ねじ穴とに螺合して、上記セグメント押圧部材を上記内輪保持部材に締結している締結部材と
を備えることを特徴としている。
【００１３】
尚、この明細書で、円弧状部の周方向、軸方向または径方向と言及した場合、その周方向、軸方向または径方向は、その円弧状部をその円弧状部の曲率を変えないように延長してなる仮想環状部材の周方向、軸方向または径方向を意味するものとする。また、セグメントの柱部とは、セグメントにおいて周方向に隣接する円錐ころ同士が接触することを遮る柱状の部分をさすこととする。
【００１４】
本発明の組立用治具、組立方法および内輪アッセンブリによれば、セグメント押圧部材のセグメント係合部でセグメントの柱部を内輪側に押圧できて、セグメントのポケット内の円錐ころを内輪の外周円錐軌道面側に押圧できる。したがって、複数のセグメントを有する環状でない保持器を用いた場合で、かつ、内輪の軸方向の小鍔部側の端面を鉛直方向の下方側に向けた状態でも、ポケット内の円錐ころが外周円錐軌道面から離脱することがない。したがって、複数のセグメントを有する環状でない保持器を用いた場合で、かつ、内輪の軸方向の小鍔部側の端面を鉛直方向の下方側に向けた状態での組み付けが必要な円錐ころ軸受であっても、円滑に組み立てることができる。
【００１５】
また、本発明の組立用治具、組立方法および内輪アッセンブリによれば、保持器のセグメント同士を係合する特別な機構を設けることなしに、内輪の小鍔部側を鉛直方向の下方に配置したまま、円錐ころ軸受の組み立てを行うことができる。したがって、保持器のセグメントの製造コストが高くなることがなく、保持器のセグメントを製造する工数も大きくなることもない。
【発明の効果】
【００１６】
本発明によれば、複数のセグメントを有する環状でない保持器を用いた場合であっても、内輪の軸方向の小鍔部側の端面を鉛直方向の下方側に向けた状態で、円錐ころ軸受を円滑に組み立て可能な円錐ころ軸受の組立用治具および組立方法を実現できる。また、本発明によれば、複数のセグメントを有する環状でない保持器を有しているのに、内輪の軸方向の小鍔部側の端面が鉛直方向の下方側を向いた状態でも円錐ころが内輪から離脱しない内輪アッセンブリを実現できる。
【図面の簡単な説明】
【００１７】
【図１】鉛直方向に延在している風力発電機の主軸と、フロント側の円錐ころ軸受の内輪と、リア側の円錐ころ軸受の内輪とを示す模式図である。
【図２】円錐ころ軸受の組み立ての途中の一状態を示す図である。
【図３】保持器の構造を説明する図である。
【図４】櫛状の部材の斜視図である。
【図５】全ての円錐ころが内輪の外周円錐軌道面に位置した後の状態を示す図である。
【発明を実施するための形態】
【００１８】
以下、本発明を図示の形態により詳細に説明する。
【００１９】
風力発電機の主軸に配置される円錐ころ軸受は、通常、その主軸が鉛直方向に延在している状態で組み付けられる。
【００２０】
図１は、鉛直方向に延在している風力発電機の主軸１０と、フロント側の円錐ころ軸受の内輪１００と、リア側の円錐ころ軸受の内輪１とを示す模式図である。
【００２１】
図１に示すように、フロント側の内輪１００の軸方向の外周円錐軌道面１２１の小径側の端面と、リア側の内輪１の軸方向の外周円錐軌道面１１の小径側の端面とは、主軸１０の軸方向に対向している。また、主軸１０を鉛直方向に延在させた状態で、リア側の内輪１は、フロント側の内輪１００よりも鉛直方向の上方に位置している。
【００２２】
図１に示すように、上記リア側の内輪１の外周円錐軌道面１１は、鉛直方向の上方に行くにしたがって外径が大きくなっている。以下、上記リア側の内輪１が図１に示す状態、すなわち、リア側の内輪１の外周円錐軌道面１１が、鉛直方向の上方に行くにしたがって外径が大きくなっている状態で、リア側の円錐ころ軸受を如何に組み立てるかについて説明する。
【００２３】
図２は、リア側の円錐ころ軸受の組み立ての途中の一状態を示す図である。本実施形態では、以下のように、リア側の円錐ころ軸受（以下、単に円錐ころ軸受という）を組み立てる。
【００２４】
図２を参照して、先ず、部材用意工程を行う。この部材用意工程では、円錐ころ軸受の内輪１と、複数の円錐ころ２と、保持器３と、組立用治具４とを用意する。
【００２５】
図３は、上記保持器３の構造を説明する図である。尚、図３は、円錐ころ軸受の一部を表す俯瞰図であり、内輪１、保持器３および複数の円錐ころ２のみを図示している。図３に示すように、上記保持器３は、複数のセグメント３１を有する。上記各セグメント３１は、全て同一となっている。上記複数のセグメント３１は、内輪１の外周面１５にその外周面１５の周方向に重なるように配置されている。上記各セグメント３１を外周面１５上に配置し、かつ、そのセグメント３１を外周面１５の軸方向の外方から見たとき、各セグメント３１は、円弧形状をしている。上記複数のセグメント３１は、互いに相俟って略環状の構造を構成するようになっている。
【００２６】
図３に示すように、各セグメント３１は、上面と下面とがない箱の形状を有する。上記円錐ころ２は、その箱部分に収容されている。上記各セグメント３１の箱部分の内側の面は、ポケット３２を構成している。上記各セグメント３１は、一つのみのポケット３２を有し、各セグメント３１は、ポケット３２に一つの円錐ころ２を収容している。
【００２７】
再度、図２を参照して、上記組立用治具４は、ダミー外輪６と、内輪載置部材７と、内輪保持部材８と、セグメント押圧部材９とを備える。上記ダミー外輪６は、環状部材である。上記ダミー外輪６は、円錐内周面６１と、鍔部６２と、載置面６３とを有する。上記鍔部６２は、円錐内周面６１の軸方向の小径側に位置している。また、上記載置面６３は、軸方向の小径側の端部に位置している。上記載置面６３は、略円錐内周面６１の径方向に延在している。上記載置面６３は、ダミー外輪６の軸方向の一方側の端面を構成している。
【００２８】
上記内輪載置部材７は、一体構造を有する。上記内輪載置部材７は、小径側対応内周面７１と、小端面受止面７２と、載置面７３とを有する。図２に示すように、上記小径側対応内周面７１は、内輪１の小径側の端部の外周面１５に対応する形状を有する。上記小端面受止面７２は、小径側対応内周面７１の軸方向の一方側の端部につながっている。上記小径側対応内周面７１および小端面受止面７２は、内輪１の軸方向の外周円錐軌道面１１の小径側の端部の外面（外周面および端面からなる）に対応する形状を有している。上記載置面７３は、小端面受止面７２よりも上記軸方向の一方側に位置している。上記載置面７３は、小径側対応内周面７１の径方向に延在している。
【００２９】
上記内輪保持部材８は、環状部材である。上記内輪保持部材８は、円板状の本体部８０と、環状のフランジ部８１とを有し、本体部８０は、大径側対応面としての内周面８２と、大端面当接面８３とを有する。図２に示すように、上記内周面８２は、内輪１の大径側の端部の外周面１８に対応する形状を有する。また、上記大端面当接面８３は、内周面８２の軸方向の他端側の端部につながっている。上記内周面８２および大端面当接面８３は、内輪１の軸方向の外周円錐軌道面１１の大径側の端部の外面（外周面および端面からなる）に対応する形状を有している。また、上記本体部８０は、複数のねじ穴８５を有し、各ねじ穴８５は、本体部８０の軸方向に延在している。上記各ねじ穴８５は、本体部８０を軸方向に貫通している。
【００３０】
上記フランジ部８１は、本体部８０の軸方向の内周面８２側とは反対側の端面８４から軸方向に延在している。上記フランジ部８１は、複数のねじ穴８６を有し、その複数のねじ穴８６は、互いにフランジ部８１の周方向に間隔をおいて位置している。上記各ねじ穴８６は、フランジ部８１の径方向に延在し、フランジ部８１を貫通している。
【００３１】
上記セグメント押圧部材９は、複数の櫛状の部材９１を有する。全ての櫛状の部材９１は、同一となっている。図４は、一つの櫛状の部材９１の斜視図である。図４に示すように、上記各櫛状の部材９１は、円弧形状を有する円弧状部９４と、複数のセグメント係合部９５とを有する。上記セグメント係合部９５は、柱状の形状を有している。図４に示すように、上記各セグメント係合部９５は、円弧状部９４の軸方向（円弧状部９４を曲率を変えずに延長した場合に形成される仮想環状部材の軸方向という意味）の一方側の端部からその軸方向の一方側に延在している。上記複数のセグメント係合部９５は、円弧状部９４の周方向（上記仮想環状部材の周方向という意味）に互いに間隔をおいて位置している。上記円弧状部９４は、複数のねじ穴９７を有する。上記各ねじ穴９７は、貫通穴である。上記各ねじ穴９７は、円弧状部９４の径方向（上記仮想環状部材の径方向という意味）に延在している。上記複数のねじ穴９７は、円弧状部９４の周方向に互いに間隔をおいて位置している。上記各セグメント係合部９５は、周方向に隣接する切欠９３の間に位置している。上記各セグメント係合部９５は、櫛の歯に対応する部分である。
【００３２】
話を、円錐ころ軸受の組立方法に戻して、上記部材用意工程に続いて、ダミー外輪載置工程と、内輪載置部材載置工程とを行う。ダミー外輪載置工程では、上記ダミー外輪６の載置面６３を、水平面８８上に載置する。また、内輪載置部材載置工程では、上記内輪載置部材７の載置面７３を、水平面８８上に載置する。
【００３３】
続いて、円錐ころ収容工程を行う。円錐ころ収容工程では、上記各セグメント３１（図３参照）のポケット３２に円錐ころ２を収容する。その後、セグメント載置工程を行う。セグメント載置工程では、ポケット３２内の円錐ころ２の転動面がダミー外輪６の円錐内周面６１上に位置すると共に、円錐ころ２の小端面２４がダミー外輪６の鍔部６２に係止されるように、全てのポケット３２に円錐ころ２が収容されたセグメント３１をダミー外輪６に載置する。
【００３４】
続いて、内輪載置工程を行う。内輪載置工程では、内輪１を鉛直方向の上方から内輪載置部材７に載置する。詳しくは、上記内輪１の軸方向の小径側の端部の外周面１５を内輪載置部材７の小径側対応内周面７１に当接させると共に、内輪１の軸方向の円錐軌道面１１の小径側の小端面１９を内輪載置部材７の小端面受止面７２に載置する。
【００３５】
続いて、内輪保持工程を行う。内輪保持工程では、内輪保持部材８を鉛直方向の上方から内輪載置部材７に組み付けて固定する。詳しくは、内輪１の軸方向の外周円錐軌道面１１の大径側の大端面１９を、内輪保持部材８の大端面当接面８３に当接させ、内輪１の軸方向の外周円錐軌道面１１の大径側の端部の外周面１８を、内輪保持部材８の内周面８２に内嵌する。その後、アイボルト７７で内輪保持部材８を内輪１に固定する。図２に示すように、内輪１は、複数のねじ穴１４を有する。上記複数のねじ穴１４は、互いに間隔をおいて位置している。上記各ねじ穴１４は、内輪１の軸方向に延在している。
【００３６】
上記アイボルト７７を内輪保持部材８のねじ穴８５および内輪１のねじ穴１４に螺合して締め付ける。このようにして、上記内輪保持部材８を内輪１に固定する。図２は、上記内輪保持部材８を内輪１に固定した後の状態を示している。この状態で、上記フランジ部８１の各ねじ穴８６は、略内輪１の径方向に延在している。上記内輪保持部材８の複数のねじ穴８５は、内輪保持部材８の固定部を構成している。
【００３７】
続いて、ころ軌道面配置工程を行う。ころ軌道面配置工程では、櫛状の部材９１の各セグメント係合部９５（図４参照）がセグメント３１の柱部３９（図３参照）に内輪１の径方向に重なっている状態で、締結部材としてのボルト（図２では、図示せず）を、円弧状部９４のねじ穴９７と内輪保持部材８のねじ穴８６とに螺合して、櫛状の部材９１を内輪保持部材８に締め込む。このようにして、上記櫛状の部材９１を内輪保持部材８に対して図２に矢印Ａで示す方向に相対的に移動させて、櫛状の部材９１の各セグメント係合部９５でセグメント３１の柱部３９を内輪１の外周円錐軌道面１１の方に押圧する。このようにして、上記セグメント３１に保持された円錐ころ２を、内輪１の外周円錐軌道面１１に位置させる。
【００３８】
図５は、全ての円錐ころ２が内輪１の外周円錐軌道面１１に位置した後の状態を示す図である。
【００３９】
図５に示す状態、すなわち、内輪１が内輪保持部材８に固定されると共に、セグメント押圧部材９がボルト９９で内輪保持部材８に固定されている状態において、内輪１と、保持器３と、複数の円錐ころ２と、内輪保持部材８と、セグメント押圧部材９と、ボルト９９とは、一体構造をなし、互いに分離不可能になっている。この分離不可能な一体構造は、内輪アッセンブリを構成している。
【００４０】
話を、円錐ころ軸受の組立方法に戻して、続いて、外輪組付工程を行う。外輪組付工程では、上記内輪アッセンブリのアイボルト７７の円環部７９につり革等を引っかけて、内輪アッセンブリを吊り上げる。その後、内輪アッセンブリを、水平方向に移動させた後、内輪アッセンブリを、軸箱内に固定された外輪（図示せず）と鉛直方向を向いた主軸（図示せず）との間に降下させる。そして、内輪アッセンブリの各円錐ころ２が内輪１の外周円錐軌道面１１と外輪（図示せず）の内周円錐軌道面との間に位置するようにする。
【００４１】
最後に、ボルト９９とアイボルト７７とを取り外して、内輪アッセンブリから内輪保持部材８とセグメント押圧部材９とを取り外して、リア側の円錐ころ軸受の組み立てを終了する。
【００４２】
上記実施形態によれば、セグメント押圧部材９のセグメント係合部９５でセグメント３１を内輪１側に押圧できて、セグメント３１のポケット３２内の円錐ころ２を内輪１の外周円錐軌道面１１側に押圧できる。したがって、複数のセグメント３１を有する環状でない保持器３を用いた場合で、かつ、内輪１の軸方向の小鍔部側の小端面１９を鉛直方向の下方側に向けた状態でも、ポケット３２内の円錐ころ２が外周円錐軌道面１１から離脱することがない。したがって、複数のセグメント３１を有する環状でない保持器３を用いた場合で、かつ、内輪１の軸方向の小鍔部側の小端面１９を鉛直方向の下方側に向けた状態での組み付けが必要な円錐ころ軸受であっても、円滑に組み立てることができる。
【００４３】
また、上記実施形態によれば、セグメント３１同士を係合する特別な機構を設けることなしに、内輪１の小鍔部側を鉛直方向の下方に配置したまま、円錐ころ軸受の組み立てを行うことができる。したがって、セグメント３１の製造コストが高くなることがなく、セグメント３１を製造する工数も大きくなることがない。
【００４４】
尚、上記実施形態では、保持器３の各セグメント３１が一つのみのポケット３２を有していたが、この発明では、保持器の各セグメントは、他のセグメントに無関係かつ独立に一以上の如何なる数のポケットを有しても良い。
【００４５】
また、上記実施形態では、保持器３を構成する各セグメント３１が全て同一であったが、この発明では、保持器を構成する複数のセグメントが、互いに異なる二以上のセグメントを有しても良い。
【００４６】
また、上記実施形態では、内輪保持部材８の固定部が、ねじ穴８５で構成された。しかしながら、この発明では、内輪保持部材に内周面を構成して、その内周面に内輪の外周円錐軌道面の大径側の端部の外周面を圧入により固定するようにしても良く、内輪保持部材の内周面で固定部を構成しても良い。
【００４７】
また、上記実施形態では、内輪保持部材８が、環状部材であったが、この発明では、内輪保持部材は、環状部材でなくても良く、内輪保持部材を、複数の部材で構成しても良い。尚、この場合、内輪保持部材を構成する夫々の部材が、内輪の大径側の端部の外周面の一部に対応する形状を有する大径側対応面と、内輪の大径側の端部を固定する固定部と、内輪の大径側の端部をその固定部に固定した状態で略内輪の径方向に延在する複数のねじ穴とを有するようにすると好ましい。また、この場合、それら複数の部材は、全て同一であっても良く、または、それら複数の部材は、互いに異なる二以上の部材を有しても良い。また、この場合、内輪保持部材を構成する夫々の部材を、ボルト等の締結部材で内輪に固定する必要があるのは、言うまでもない。
【００４８】
また、上記実施形態では、円錐ころ２を内輪１の外周円錐軌道面１１と外輪の内周円錐軌道面との間に位置させた後、内輪アッセンブリから内輪保持部材８とセグメント押圧部材９とを取り外した。しかしながら、この発明では、円錐ころを内輪の外周円錐軌道面と外輪の内周円錐軌道面との間に位置させた後、内輪アッセンブリからセグメント押圧部材のみを取り外して、内輪に内輪保持部材を固定したままの状態としても良い。
【００４９】
また、上記実施形態では、保持器３を構成する各セグメント３１が、上面と下面とがない箱の形状を有して、保持器３が両持ちの構造であった。しかしながら、この発明では、保持器がもみ抜き保持器等であって、保持器が片持ちの構造であっても良い。この発明では、保持器は、複数のセグメントからなっていれば、如何なる構造を有しても良い。
【００５０】
また、上記実施形態では、セグメント押圧部材９が有する複数の櫛状の部材９１が、全て同一であったが、この発明では、セグメント押圧部材が有する複数の櫛状の部材は、互いに異なる二以上の櫛状の部材を有しても良く、例えば、二以上の櫛状の部材で、セグメント係合部の数が、異なっていても良い。
【００５１】
また、円錐ころ軸受の組立方法の発明では、ダミー外輪載置工程の後に、セグメント載置工程を行うという条件と、内輪載置工程の後に、ころ軌道面配置工程を行うという条件とを満たすようであれば、各工程は、如何なる順序で行われても良く、二以上の工程を時間差を設けて一定の時間のみ同時に行っても良く、または、二以上の工程を時間差を設けずに同時に行っても良い。例えば、あるセグメントに保持された全ての円錐ころを、櫛状の部材を用いて内輪の外周円錐軌道面に位置させた後、その他のセグメントに保持された他の円錐ころをダミー外輪に載置しても良い。
【００５２】
また、上記実施形態および変形例で説明した構成のうちの二以上の構成を組み合わせて新たな実施形態を形成できることは、勿論である。また、本発明は、風力発電機の主軸に配置される円錐ころ軸受の組立等に適用すると好ましいが、本発明を、如何なる産業機械や建設機械の組立等に適用しても良いことは言うまでもない。
【符号の説明】
【００５３】
１  内輪
２  円錐ころ
３  保持器
４  円錐ころ軸受の組立用治具
６  ダミー外輪
７  内輪載置部材
８  内輪保持部材
９  セグメント押圧部材
１１  内輪の外周円錐軌道面
３１  保持器のセグメント
３２  保持器のポケット
３９  セグメントの柱部
６１  ダミー外輪の円錐内周面
６２  ダミー外輪の鍔部
６３  ダミー外輪の載置面
７１  内輪載置部材の小径側対応内周面
７２  内輪載置部材の小端面受止面
７３  内輪載置部材の載置面
８２  内輪保持部材の内周面
８５  内輪保持部材の本体部のねじ穴
８６  内輪保持部材のフランジ部のねじ穴
８８  水平面
９１  櫛状の部材
９４  円弧状部
９５  セグメント係合部
９７  櫛状の部材の円弧状部のねじ穴
９９  ボルト
【図１】
2015135143.tif 000003
【図２】
2015135143.tif 000004
【図３】
2015135143.tif 000005
【図４】
2015135143.tif 000006
【図５】
2015135143.tif 000007